(57)【要約】【課題】パウチ容器を見栄え良く確実に装着して着脱自在に保持する容器装着パネルを提供すること。【解決手段】内容物を封入する内容物収容部ＭＡ３とシール部ＭＡ４とを備えたパウチ容器ＭＡを挿着する上面パネル１１０とパウチ容器ＭＡの底部を支持する下面パネル１３０とを備え、上面パネル１１０が、内容物収容部ＭＡ３を挿通する容器挿通孔１１２と、、パウチ容器ＭＡの上部を抱持する抱持爪１１６とを有し、下面パネル１３０が、パウチ容器ＭＡの底部に当て止め制止する容器制止片１３２を有している容器装着パネル１１０とこれを用いた詰合せセットＳ。【選択図】図１２
2018079956.tif 000002
【特許請求の範囲】
【請求項１】
内容物を封入する内容物収容部と該内容物収容部を封止するシール部とを備えたパウチ容器を挿着する上面パネルと該上面パネルに離間対置してパウチ容器の底部を支持する下面パネルとを組み合わせた容器装着パネルであって、
前記上面パネルが、前記パウチ容器の内容物収容部を挿通する容器挿通孔と、前記容器挿通孔より後方のパネル後方領域の一部を切り欠いて起立させた状態でパウチ容器の上部を着脱自在に抱持する抱持爪とを有し、
前記下面パネルが、前記容器挿通孔より前方のパネル前方領域の一部を切り欠いて起立させた状態で挿し込んだパウチ容器の底部に当て止め制止する容器制止片を有していることを特徴とする容器装着パネル。
【請求項２】
前記パウチ容器のシール部が、前記内容物収容部の少なくとも側縁の一部を封止するフランジ状シール部を有しており、
前記容器挿通孔が、前記フランジ状シール部を挿通方向に案内するフランジ案内用スリットを設けられていることを特徴とする請求項１に記載の容器装着パネル。
【請求項３】
前記パウチ容器のフランジ状シール部が、前記内容物収容部の少なくとも両側縁を封止しており、
前記フランジ案内用スリットが、前記容器挿通孔の左右に設けられていることを特徴とする請求項２に記載の容器装着パネル。
【請求項４】
前記パウチ容器のフランジ状シール部が、前記パウチ容器の内容物収容部に沿って形成されたシール胴部分と該シール胴部分の上側へ連続して形成されたシール頭部分と前記シール胴部分とシール頭部分との間に形成されて前記シール胴部分およびシール頭部分よりも幅狭のシールくびれ部分とで少なくとも構成されていることを特徴とする請求項２または請求項３に記載の容器装着パネル。
【請求項５】
前記上面パネルが、前記パウチ容器を複数整列してそれぞれ挿着する複数の容器挿通孔を有していることを特徴とする請求項１乃至請求項４のいずれか１つに記載の容器装着パネル。
【請求項６】
前記上面パネルと下面パネルが、１枚のブランクシートで形成されていることを特徴とする請求項１乃至請求項５のいずれか１つに記載の容器装着パネル。
【請求項７】
前記容器装着パネルが、板紙を素材としていることを特徴とする請求項１乃至請求項６のいずれか１つに記載の容器装着パネル。
【請求項８】
前記パウチ容器が、前記内容物収容部の周囲をラミネート加工によって封止する２枚のシートからなることを特徴とする請求項１乃至請求項７のいずれか１つに記載の容器装着パネル。
【請求項９】
前記パウチ容器が、短冊状の偏平形状を呈していることを特徴とする請求項１乃至請求項８のいずれか１つに記載の容器装着パネル。
【請求項１０】
前記パウチ容器が、前記内容物収容部を左右一対かつ一連一体に備えていることを特徴とする請求項１乃至請求項９のいずれか１つに記載の容器装着パネル。
【請求項１１】
前記パウチ容器に封入する内容物が、スキンケア化粧料、メイクアップ化粧料、ヘアケア化粧料、ボディー用洗浄料、酵素洗顔料、フレグランスの少なくとも１つであることを特徴とする請求項１乃至請求項１０のいずれか１つに記載の容器装着パネル。
【請求項１２】
前記パウチ容器を装着する請求項１乃至請求項１１のいずれか１つに記載の容器装着パネルと、前記パウチ容器の内容物と併用する付属品と、前記容器装着パネルと付属品とを収容する包装箱とで構成されていることを特徴とする詰合せセット。
【発明の詳細な説明】
【技術分野】
【０００１】
本発明は、パウチ容器を立体的に保持する容器装着パネルに関するものであって、特に、化粧料、医薬品、健康食品、栄養補助食品、飲食物などの粉末状、液状、乳液状、クリーム状、固形状、ゲル状、ペースト状など、種々の形態のものを封入したパウチ容器を保持する容器装着パネルに関するものである。
【背景技術】
【０００２】
従来、試供品の容器や店頭に展示する容器を保持する台紙として、折目線を利用して表面部の後方に背面部を重ね合せ、貼付片を台紙の余白部に貼付けて容器収納筒部を形成し、かつ表面部に容器の一部が突出できる大きさの切込窓を形成し下方が切込窓に連接され切込窓の切込みによって同時に形成された切込窓と同形状の舌片を背面側に押し込んで上方から容器を筒内に収納できるように形成した容器保持用台紙が知られている（例えば、特許文献１参照）。
【先行技術文献】
【特許文献】
【０００３】
【特許文献１】実公平０１−０４２５３３号公報（特に、実用新案登録請求の範囲、第２図参照）
【発明の概要】
【発明が解決しようとする課題】
【０００４】
しかしながら、上述した従来の容器保持用台紙（特許文献１）は、台紙を折目線で重ね合せて貼付することによって形成した容器収納筒部が容器の外形よりも狭い切込窓の下方に連接された舌片によって容器収納部の下方の開口部に容器を支承する底を構成し、容器収納部の上方の開口部を容器収納筒部に容器を挿入するために使用しているため、容器を容器収納部に収納した状態で容器収納台紙を外箱に入れた後に輸送して陳列する際、容器保持用台紙の上方に設けられた開口部から容器が抜け出すことがあり、このような抜け出しを解消するために容器保持用台紙を箱内に保持して移動を制止するには、箱内の構造が複雑になって使い勝手が悪い過重包装になるという問題があった。
また、容器保持用台紙に貼付保持すると、ユーザの使用時に、貼付保持に用いた糊剤が容器や容器保持用台紙の汚れとなって表出し、見栄えが悪くなるという問題があった。
【０００５】
そこで、本発明は、前述したような従来技術の問題を解決するものであって、すなわち、本発明の目的は、パウチ容器を見栄え良く確実に装着して着脱自在に保持する容器装着パネルを提供することである。
【課題を解決するための手段】
【０００６】
本請求項１に係る発明は、内容物を封入する内容物収容部と該内容物収容部を封止するシール部とを備えたパウチ容器を挿着する上面パネルと該上面パネルに離間対置してパウチ容器の底部を支持する下面パネルとを組み合わせた容器装着パネルであって、前記上面パネルが、前記パウチ容器の内容物収容部を挿通する容器挿通孔と、前記容器挿通孔より後方のパネル後方領域の一部を切り欠いて起立させた状態でパウチ容器の上部を着脱自在に抱持する抱持爪とを有し、前記下面パネルが、前記容器挿通孔より前方のパネル前方領域の一部を切り欠いて起立させた状態で挿し込んだパウチ容器の底部に当て止め制止する容器制止片を有していることにより、前述した課題を解決するものである。
【０００７】
請求項２に係る発明は、前記パウチ容器のシール部が、前記内容物収容部の少なくとも側縁の一部を封止するフランジ状シール部を有しており、前記容器挿通孔が、前記フランジ状シール部を挿通方向に案内するフランジ案内用スリットを設けられていることにより、前述した課題を解決するものである。
【０００８】
請求項３に係る発明は、前記パウチ容器のフランジ状シール部が、前記内容物収容部の少なくとも両側縁を封止しており、前記フランジ案内用スリットが、前記容器挿通孔の左右に設けられていることにより、前述した課題を解決するものである。
【０００９】
本請求項４に係る発明は、請求項２または請求項３に記載された容器装着パネルの構成に加えて、前記パウチ容器のフランジ状シール部が、前記パウチ容器の内容物収容部に沿って形成されたシール胴部分と該シール胴部分の上側へ連続して形成されたシール頭部分と前記シール胴部分とシール頭部分との間に形成されて前記シール胴部分およびシール頭部分よりも幅狭のシールくびれ部分とで少なくとも構成されていることにより、前述した課題をさらに解決するものである。
【００１０】
本請求項５に係る発明は、請求項１乃至請求項４のいずれか１つに記載された容器装着パネルの構成に加えて、前記上面パネルが、前記パウチ容器を複数整列してそれぞれ挿着する複数の容器挿通孔を有していることにより、前述した課題をさらに解決するものである。
【００１１】
本請求項６に係る発明は、請求項１乃至請求項５のいずれか１つに記載された容器装着パネルの構成に加えて、前記上面パネルと下面パネルが、１枚のブランクシートで形成されていることにより、前述した課題をさらに解決するものである。
【００１２】
本請求項７に係る発明は、請求項１乃至請求項６のいずれか１つに記載された容器装着パネルの構成に加えて、前記容器装着パネルが、板紙を素材としていることにより、前述した課題をさらに解決するものである。
【００１３】
本請求項８に係る発明は、請求項１乃至請求項７のいずれか１つに記載された容器装着パネルの構成に加えて、前記パウチ容器が、前記内容物収容部の周囲をラミネート加工によって封止する２枚のシートからなることにより、前述した課題をさらに解決するものである。
【００１４】
本請求項９に係る発明は、請求項１乃至請求項８のいずれか１つに記載された容器装着パネルの構成に加えて、前記パウチ容器が、短冊状の偏平形状を呈していることにより、前述した課題をさらに解決するものである。
【００１５】
本請求項１０に係る発明は、請求項１乃至請求項９のいずれか１つに記載された容器装着パネルの構成に加えて、前記パウチ容器が、前記内容物収容部を左右一対かつ一連一体に備えていることにより、前述した課題をさらに解決するものである。
【００１６】
本請求項１１に係る発明は、請求項１乃至請求項１０のいずれか１つに記載された容器装着パネルの構成に加えて、前記パウチ容器に封入する内容物が、スキンケア化粧料、メイクアップ化粧料、ヘアケア化粧料、ボディー用洗浄料、酵素洗顔料、フレグランスの少なくとも１つであることにより、前述した課題をさらに解決するものである。
【００１７】
本請求項１２に係る発明は、前記パウチ容器を装着する請求項１乃至請求項１１のいずれか１つに記載の容器装着パネルと、前記パウチ容器の内容物と併用する付属品と、前記容器装着パネルと付属品とを収容する包装箱とで構成されている詰合せセットであることにより、前述した課題をさらに解決するものである。
【発明の効果】
【００１８】
本発明の容器装着パネルは、内容物を封入する内容物収容部とこの内容物収容部を封止するシール部とを備えたパウチ容器を挿着する上面パネルとこの上面パネルに離間対置してパウチ容器の底部を支持する下面パネルとを組み合わせたことにより、パウチ容器を上面パネルに挿着して見栄え良く装着保持することができるばかりでなく、以下のような特有の効果を奏することができる。
【００１９】
本請求項１に係る発明の容器装着パネルによれば、上面パネルが、パウチ容器の内容物収容部を挿通する容器挿通孔と、容器挿通孔より後方のパネル後方領域の一部を切り欠いて起立させた状態でパウチ容器の上部を着脱自在に抱持する抱持爪とを有し、下面パネルが、容器挿通孔より前方のパネル前方領域の一部を切り欠いて起立させた状態で挿し込んだパウチ容器の底部に当て止め制止する容器制止片を有していることにより、パウチ容器を容器装着パネルに組み付けた際、パウチ容器の内容物収容部を容器挿通孔、パウチ容器の上部を抱持爪、パウチ容器の底部を容器制止片のそれぞれによって支持するとともに、前後方向への移動を容器挿通孔、左右方向への横ズレを容器挿通孔、後側斜め上方向への抜け出しを抱持爪、前側斜め下方向への潜り込みを容器制止片のそれぞれが分担して３方向への移動を制止しているため、輸送時のガタツキや陳列時の取り扱いなどに起因するパウチ容器の容器装着パネルからの移動による変形や破損を抑止して、パウチ容器を容器装着パネルへの組み付け当時の見栄えの良い状態を安定して確実に保持することができる。
また、パウチ容器の容器装着パネルから取り外す際、パウチ容器の上部を抱持爪からの取り外すだけでパウチ容器の保持が解除されるため、容器装着パネルからパウチ容器を簡便に抜き出すことができる。
【００２０】
本請求項２に係る発明の容器装着パネルによれば、請求項１に係る発明が奏する効果に加えて、パウチ容器のシール部が、内容物収容部の少なくとも側縁の一部を封止するフランジ状シール部を有しており、容器挿通孔が、フランジ状シール部を挿通方向に案内するフランジ案内用スリットを設けられていることにより、パウチ容器を容器装着パネルに挿通する際、フランジ案内用スリットがパウチ容器のフランジ状シール部を案内するため、パウチ容器を適切な装着位置に導くことができる。
また、パウチ容器を容器装着パネルに組み付けた際、パウチ容器のフランジ状シール部をフランジ案内用スリットが支持するため、パウチ容器を支持する力が分散されてパウチ容器の保持をより安定にすることができる。
【００２１】
本請求項３に係る発明の容器装着パネルによれば、請求項２に係る発明が奏する効果に加えて、パウチ容器のフランジ状シール部が、内容物収容部の少なくとも両側縁を封止しており、フランジ案内用スリットが、容器挿通孔の左右に設けられていることにより、パウチ容器を容器装着パネルに組み付けた際、パウチ容器のフランジ状シール部をフランジ案内用スリットで支持するとともに、左右方向への横ズレと前後方向への移動とをフランジ案内用スリットで確実に支持するため、輸送時のガタツキや陳列時の取り扱いなどに起因するパウチ容器の容器装着パネルからの移動による変形や破損を確実に抑止することができる。
【００２２】
本請求項４に係る発明の容器装着パネルによれば、請求項２または請求項３に係る発明が奏する効果に加えて、パウチ容器のフランジ状シール部が、パウチ容器の内容物収容部に沿って形成されたシール胴部分とこのシール胴部分の上側へ連続して形成されたシール頭部分とシール胴部分とシール頭部分との間に形成されてシール胴部分およびシール頭部分よりも幅狭のシールくびれ部分とで少なくとも構成されていることにより、パウチ容器に後側斜め上方向または前側斜め下方向への力が生じても、シールくびれ部分よりも幅広のシール頭部分とシール胴部分との間に移動が制限されるため、パウチ容器の後側斜め上方向への抜け出し移動や前側斜め下方向への潜り込み移動を制止してパウチ容器の位置を安定して確実に保持することができる。
【００２３】
本請求項５に係る発明の容器装着パネルによれば、請求項１乃至請求項４のいずれか１つに係る発明が奏する効果に加えて、上面パネルが、前記パウチ容器を複数整列してそれぞれ挿着する複数の容器挿通孔を有していることにより、上面パネルに装着されたパウチ容器の数量が一目瞭然となるため、必要に応じた数量のパウチ容器を簡便に取り扱うことができる。
【００２４】
本請求項６に係る発明の容器装着パネルによれば、請求項１乃至請求項５のいずれか１つに係る発明が奏する効果に加えて、上面パネルと下面パネルが、１枚のブランクシートで形成されていることにより、上面パネルに設けられた容器挿通孔およびフランジ案内用スリットおよび抱持爪と下面パネルに設けられた容器制止片とが同時に打ち抜き加工されるため、容器装着パネルの製作負担を大幅に軽減することができる。
【００２５】
本請求項７に係る発明の容器装着パネルによれば、請求項１乃至請求項６のいずれか１つに係る発明が奏する効果に加えて、前記容器装着パネルが、板紙を素材としていることにより、パウチ容器の形状に応じた型抜き加工やパウチ容器の模様および色彩に応じたプリント加工が可能となるため、製品としての美観を向上させることができる。
【００２６】
本請求項８に係る発明の容器装着パネルによれば、請求項１乃至請求項７のいずれか１つに係る発明が奏する効果に加えて、パウチ容器が、前記内容物収容部の周囲をラミネート加工によって封止する２枚のシートからなることにより、内容物の成分に応じた封止幅やラミネート形態が設定可能となるため、パウチ容器として確実な封止構造が得られる。
【００２７】
本請求項９に係る発明の容器装着パネルによれば、請求項１乃至請求項８のいずれか１つに係る発明が奏する効果に加えて、パウチ容器が、短冊状の偏平形状を呈していることにより、パウチ容器に凹凸のない平坦な部分が生じるため、容器装着パネルの容器挿通孔およびフランジ案内用スリットへの挿し込みや抜き出しの際に平坦な部分を活用して簡便にハンドリングすることができる。
また、容器装着パネルに対して偏平形状を呈したパウチ容器が立体的に組み付けられていることにより、容器装着パネルへの組み付けた際にパウチ容器の奥行きが鮮明になるため、パウチ容器の立体感を増すことによってパウチ容器の見栄えを一層増すことができる。
【００２８】
本請求項１０に係る発明の容器装着パネルによれば、請求項１乃至請求項９のいずれか１つに係る発明が奏する効果に加えて、パウチ容器が、内容物収容部を左右一対かつ一連一体に備えていることにより、併用する内容物を一連一体のパウチ容器として扱えるため、パウチ容器を使用する際の選別が不要となり、ユーザの利便性を増すことができる。
【００２９】
本請求項１１に係る発明の容器装着パネルによれば、請求項１乃至請求項１０のいずれか１つに係る発明が奏する効果に加えて、パウチ容器に封入する内容物が、スキンケア化粧料、メイクアップ化粧料、ヘアケア化粧料、ボディー用洗浄料、酵素洗顔料、フレグランスの少なくとも１つであることにより、スキンケア化粧料、メイクアップ化粧料、ヘアケア化粧料、ボディー用洗浄料、酵素洗顔料、フレグランスを封入したパウチ容器が容器装着パネルに確実に保持されているため、高価なスキンケア化粧料、メイクアップ化粧料、ヘアケア化粧料、ボディー用洗浄料、酵素洗顔料、フレグランスを漏洩することなく、陳列や展示などの際に簡便に取り扱うことができる。
【００３０】
本請求項１２に係る発明の容器装着パネルによれば、請求項１乃至請求項１１のいずれか１つに係る発明が奏する効果に加えて、パウチ容器を装着する容器装着パネルと、パウチ容器の内容物と併用する付属品と、容器装着パネルと付属品とを収容する包装箱とで構成されていることにより、包装箱の内部にパウチ容器に封入された内容物の使用時に必要となる付属品を収容しているため、容器装着パネルに装着されたパウチ容器を販売する際に購入者などが必要となる付属品をパウチ容器とともに簡便に取り扱うことができる。
【図面の簡単な説明】
【００３１】
【図１】本発明の第１実施例である容器装着パネルの使用態様図。
【図２】図１に示す使用態様の分解組立図。
【図３Ａ】パウチ容器を正面斜め前方から見た概要図。
【図３Ｂ】図３Ａにおける符号３Ｂ−３Ｂで見た横断面図。
【図４】本発明の第１実施例である容器装着パネルの表面側から見た展開図。
【図５】本発明の第１実施例である容器装着パネルの組立動作図。
【図６】本発明の第１実施例である容器装着パネルにパウチ容器を装着開始状態図。
【図７】図６に示す符号７の部分拡大図。
【図８Ａ】図７に示す符号Ｘ１−Ｘ１から見た装着開始状態を示す端面図。
【図８Ｂ】図７に示す符号Ｘ２−Ｘ２から見た装着開始状態を示す端面図。
【図９Ａ】図７に示す符号Ｘ１−Ｘ１から見た装着途中状態を示す端面図。
【図９Ｂ】図７に示す符号Ｘ２−Ｘ２から見た装着途中状態を示す端面図。
【図１０】図９Ａに示す符号１０の部分拡大図。
【図１１Ａ】図７に示す符号Ｘ１−Ｘ１から見た装着終了状態を示す端面図。
【図１１Ｂ】図７に示す符号Ｘ２−Ｘ２から見た装着終了状態を示す端面図。
【図１２】本発明の第１実施例である容器装着パネルにパウチ容器を装着終了した状態を示す部分拡大図。
【図１３】本発明の第２実施例である容器装着パネルの表面側から見た展開図。
【図１４】本発明の第２実施例である容器装着パネルに２連のパウチ容器を装着終了した状態を示す部分拡大図。
【発明を実施するための形態】
【００３２】
本発明の容器装着パネルは、内容物を封入する内容物収容部とこの内容物収容部を封止するシール部とを備えたパウチ容器を挿着する上面パネルとこの上面パネルに離間対置してパウチ容器の底部を支持する下面パネルとを組み合わせ、上面パネルが、パウチ容器の内容物収容部を挿通する容器挿通孔と、容器挿通孔より後方のパネル後方領域の一部を切り欠いて起立させた状態でパウチ容器の上部を着脱自在に抱持する抱持爪とを有し、下面パネルが、容器挿通孔より前方のパネル前方領域の一部を切り欠いて起立させた状態で挿し込んだパウチ容器の底部に当て止め制止する容器制止片を有していることにより、パウチ容器を容器挿通孔に挿通して見栄え良く装着保持するものであれば、その具体的な実施態様は、如何なるものであっても構わない。
本発明の容器装着パネルは、上面パネルに対してパウチ容器を上方から挿着する、所謂、横置き状態として使用するものであるが、本発明の容器装着パネルを前に９０度回動させて部品を前方向から出し入れする、所謂、縦置き状態としても使用することができることは言うまでもない。
【００３３】
例えば、本発明の容器装着パネルで用いる上面パネルと下面パネルとの具体的なパネルの素材については、上面パネルと下面パネルとを打ち抜き加工してパウチ容器挿入孔と抱持爪と容器制止片とを構成することが可能なパネルであれば、パネルに通常採用されている素材であれば如何なる素材であっても差し支えなく、例えば、コートボール紙、コート紙、ノーコート紙、気包紙、加工紙（パール紙、ホイル紙、蒸着紙など）のような板紙や段ボールなどがあげられ、また、ポリプロピレン、ポリエチレンテレフタレート、ポリ塩化ビニル、ポリスチレンなどの透明合成樹脂や不透明合成樹脂、これらの共重合物や積層したものをあげることができる。
さらに、これらのパネル素材には、着色、加飾、印刷、金属や金属酸化物などの蒸着や樹脂などの表面コーティング、エンボスなどの加工したものを用いてもよい。
【００３４】
パウチ容器は、例えば、１回使い切りのアンプル形容器や側面または上下面をシールしてあるラミネート体などの製品であり、パウチ容器で用いるシートの具体的な素材については、ナイロン、ポリエステル、ポリプロピレン、または、これらの延伸フィルム（例えば、特開２００１−０３１１１１号公報）、複合フィルム（例えば、特開２００３−２５２３５０号公報）であれば如何なるものであっても構わない。
【００３５】
また、パウチ容器の内容物収容部に封入された内容物は、パウチ容器に収容できるものであれば、例えば、化粧料、医薬品、健康食品、栄養補助食品、飲食物（コーヒー、バターなど）などであればよく、特に、化粧料としては、化粧水、美容液、乳液、クリーム、パックなどのスキンケア化粧料、日焼け止め、化粧下地、ファンデーション、コンシーラー、白粉、頬紅、アイシャドウ、口紅などのメイクアップ化粧料、シャンプー、コンディショナー、トリートメント、ヘアジェル、整髪剤などのヘアケア化粧料、ボディーソープなどのボディー用洗浄料、酵素洗顔料やフレグランスなどをあげることができる。
さらに、内容物の形状としては、粉末状、液状、乳液状、クリーム状、固形状、半固形状、ゲル状、ペースト状など、種々の形態のものをあげることができる。
なお、本発明の容器装着パネルを収容した詰合せセットを構成する場合、包装箱に換えて包装袋に収容するようにしても、透明もしくは半透明の包装用ラップフィルムで周囲を包装してもよい。
【実施例１】
【００３６】
以下に、本発明の第１実施例である容器装着パネルについて、図１乃至図１１に基づいて説明する。
本発明の第１実施例である容器装着パネル１００は、図１および図２に示すように、化粧料容器として用いるパウチ容器ＭＡを装着した後、外箱のあたる包装箱Ｓ１０の中に順に組み込まれた底敷きパネルＳ２０と付属品（内容物と併用する補材、例えば、化粧用補材）ＭＢの上側に組み込まれて、化粧品セットとして用いる詰合せセットＳを構成するものであって、１枚のブランクシートとして黒気包紙を用いたものである。
【００３７】
これにより、パウチ容器ＭＡの形状に応じた型抜き加工やパウチ容器ＭＡの模様および色彩に応じたプリント加工が可能となる。
ここで、本実施例の説明において、「右」、「左」は、組み立てられた容器装着パネル１００の正面から見た場合を基準とした場合の「右」、「左」、すなわち、容器装着パネル１００の上面パネル１１０からその裏面側に対面する下面パネル１３０を透視したときの「右」、「左」である。
【００３８】
本発明の第１実施例である容器装着パネル１００に立体保持するパウチ容器ＭＡは、具体的には、図３Ａおよび図３Ｂに示すように、表シートＭＡ１と裏シートＭＡ２との２枚のシートを重ね合せて形成された容器であり、化粧料のような内容物を内部に封入する内容物収容部ＭＡ３と、この内容物収容部ＭＡ３の四方周縁をラミネート加工による熱融着によって封止するフランジ状シール部ＭＡ４から構成される。
これにより、内容物の成分に応じた封止幅やラミネート形態が設定可能となる。
【００３９】
パウチ容器ＭＡの内容物収容部ＭＡ３は、短冊状の偏平形状に形成される。
これにより、凹凸のない平坦な部分が生ずる。
そして、容器装着パネルの容器挿通孔およびフランジ案内用スリットへの挿し込みや抜き出しの際に平坦な部分を活用して簡便にハンドリング可能となる。
なお、内容物収容部ＭＡ３の内部に封入された内容物は、通常、１回で使い切る量が封入されている。
【００４０】
さらに、パウチ容器ＭＡは、少なくとも両側縁を封止するフランジ状シール部ＭＡ４があれば、１枚のシートを折り重ねて三方周縁をラミネート加工による熱融着によって封止した構造や、筒状シートの開口する二方をラミネート加工による熱融着によって封止した構造など、内容物収容部ＭＡ３の周囲を封止するものであれば、如何なる形状であっても構わない。
また、パウチ容器ＭＡは、予め凹形状の内容物収容部ＭＡ３の形成されたシートを用い、このシートにおける凹形状の周囲を平坦なシートを用いてラミネート加工による熱融着によって封止する構造であっても構わない。
【００４１】
さらに、ラミネート加工による熱融着に換えて、バキュームや半バキュームによって封止する構造であっても構わない。
なお、パウチ容器ＭＡの断面形状は、偏平であっても、円形であっても、多角形であっても、内容物を封入可能なものであれば、如何なる形状であっても構わない。
【００４２】
また、パウチ容器ＭＡの平坦な部分には、内容物の成分や用途などに代表される各種の物品情報が記載され、また、模様をプリントするなどして美観を向上させることも可能である。
さらに、容器装着パネル１００から取り外してテーブルなどに仮置きされた際、パウチ容器ＭＡの平坦な部分によって安定した状態で設置可能となり、ユーザの使い勝手が向上する。
【００４３】
内容物収容部ＭＡ３は、収容部本体ＭＡ３ａと、ノズル部分ＭＡ３ｂと、ノズル延在部分ＭＡ３ｃとから形成されている。
収容部本体ＭＡ３ａは、内容物の大部分を収容している。
ノズル部分ＭＡ３ｂは、収容部本体ＭＡ３ａから上方に延在させた部分であり、収容部本体ＭＡ３ａよりも幅狭に形成されている。
さらに、ノズル延在部分ＭＡ３ｃは、ノズル部分ＭＡ３ｂからさらに上方に延在させた部分であり、ノズル部分ＭＡ３ｂよりも幅狭に形成されている。
【００４４】
フランジ状シール部ＭＡ４は、内容物収容部ＭＡ３に沿って連続して形成されたシール胴部分ＭＡ４ａと、シールくびれ部分ＭＡ４ｂと、シール頭部分ＭＡ４ｃとから少なくとも構成されている。
シール胴部分ＭＡ４ａは、収容部本体ＭＡ３ａの左右両側縁と底側縁と上側縁とを封止している。
【００４５】
シールくびれ部分ＭＡ４ｂは、ノズル部分ＭＡ３ｂの左右両側縁を封止している部分であり、シール胴部分ＭＡ４ａとシール頭部分ＭＡ４ｃとの間に、シール胴部分ＭＡ４ａおよびシール頭部分ＭＡ４ｃよりも幅狭に形成されている。
シール頭部分ＭＡ４ｃは、ノズル延在部分ＭＡ３ｃの左右両側縁と上側縁とを封止している部分であり、シール胴部分ＭＡ４ａよりも幅狭でシールくびれ部分ＭＡ４ｂよりも幅広に形成されている。
【００４６】
さらに、シールくびれ部分ＭＡ４ｂには、シールくびれ部分ＭＡ４ｂの切断を簡便にするＶカット形状のノッチＭＡ４ｎやミシン目が設けられている。
シールくびれ部分ＭＡ４ｂを切断すると、収容部本体ＭＡ３ａから延在したノズル部分ＭＡ３ｂが切断される。
これにより、ノズル部分ＭＡ３ｂを切断して形成された開口部分が、収容部本体ＭＡ３ａに封止されていた内容物の注出口となって、内容物収容部ＭＡ３の内部に封入された内容物を簡便に注ぎ出される。
また、付属品ＭＢには、例えば、内容物が化粧料の場合、化粧用補材としてフェイスマスクのようなシート状パックが封入されている。
【００４７】
本発明の第１実施例である容器装着パネル１００は、１枚のブランクシートからなり、図４の表面側から見た展開図および図５の組立動作図に示すように、上面パネル１１０と、この上面パネル１１０の左側縁１１０Ｌに連接して山折りする左側パネル１２０と、この左側パネル１２０の左側縁１２０Ｌに連接して上面パネル１１０に離間対面するまで山折りする下面パネル１３０と、上面パネル１１０の右側縁１１０Ｒに連接して左側パネル１２０に離間対面するまで山折りする右側パネル１４０と、下面パネル１３０の前端縁１３０Ｆ連接して山折りする前側パネル１５０と、下面パネル１３０の後端縁１３０Ｂ連接して前側パネル１５０に離間対面するまで山折りする後側パネル１６０とからなる。
さらに、右側パネル１４０の右側縁１４０Ｒには、下面パネル１３０に接面するまで山折りする貼付片１４２が連接されており、この貼付片１４２が下面パネル１３０に貼付される。
【００４８】
なお、本実施例の説明で用いる「山折り」とは、パネルの表面側が山になる折り方を意味している。
また、山折りする部分には、凹状をした折目線や罫線が設けられても良い。
さらに、上面パネル１１０と下面パネル１３０とが離間対置した構造であれば、上面パネル１１０と下面パネル１３０との２枚のブランクシートからなる構造、上面パネル１１０と下面パネル１３０との間に左右側パネルを設けない構成など、如何なる形状であっても構わない。
【００４９】
なお、本発明の容器装着パネル１００における貼付片１４２と下面パネル１３０との具体的な貼付は、双方を両面テープもしくは接着剤で貼り合わせるか、双方に凹凸を付けて嵌合させるなどにより貼付接面した状態にするのが好ましい。
また、前側パネル１５０の前端縁１５０Ｆには、山折りするつまみ片１５２が連接されている。
なお、つまみ片１５２は、指でつまめる大きさの形状であれば、長方形、三角形、半円形など、如何なる形状であっても構わない。
【００５０】
上面パネル１１０には、容器挿通孔１１２と、フランジ案内用スリット１１４と、抱持爪１１６が形成されている。
容器挿通孔１１２は、上面パネル１１０を板厚方向に貫通した部分であり、パウチ容器ＭＡを上下方向に挿通させる。
【００５１】
また、容器挿通孔１１２は、図４に示すように、３行２列の６つが設けられており、複数のパウチ容器ＭＡを整列した状態で、それぞれ挿着される。
なお、容器挿通孔１１２の数量は、１つ以上であれば、如何なる数量であっても構わない。
フランジ案内用スリット１１４は、容器挿通孔１１２の左右両側縁のそれぞれに設けられて左右方向に延在したスリットである。
【００５２】
容器挿通孔１１２は、パウチ容器ＭＡの内容物収容部ＭＡ３が挿通可能な前後左右幅を有している。
これにより、パウチ容器ＭＡを装着した後には、パウチ容器ＭＡに後側方向または前側方向への力が生じても容器挿通孔１１２がパウチ容器ＭＡの内容物収容部ＭＡ３の前後方向への移動と左右方向への横ズレとを制止する。
【００５３】
フランジ案内用スリット１１４は、パウチ容器ＭＡを装着する際にパウチ容器ＭＡにおけるシール胴部分ＭＡ４ａ部の左右側縁のそれぞれを上下方向に案内する。
これにより、フランジ案内用スリット１１４は、パウチ容器ＭＡのフランジ状シール部ＭＡ４を案内した後、パウチ容器ＭＡにおけるフランジ状シール部ＭＡ４の左右両側縁を支持しており、後側方向または前側方向への移動と左右方向への横ズレとを制止する。
【００５４】
さらに、パウチ容器ＭＡを容器装着パネル１００に組み付けた際、パウチ容器ＭＡのフランジ状シール部ＭＡ４を容器装着パネル１００のフランジ案内用スリット１１４が支持する。
これにより、パウチ容器ＭＡを支持する力がフランジ状シール部ＭＡ４からフランジ案内用スリット１１４にも分散され、パウチ容器ＭＡの保持する点が増し、保持をより安定させている。
【００５５】
抱持爪１１６は、容器挿通孔１１２およびフランジ案内用スリット１１４より後方のパネル後方領域に位置する部分であり、上面パネル１１０の後方側に連接した部分を残して板厚方向に切込みを入れること、すなわち、一部を切り欠いて起立させることによって形成され、上側に山折りして起立させた起立舌片である。
抱持爪１１６は、左右両端のそれぞれから延在した後に先端部分を更に内向きに延在させて先端が向かい合う２つのＬ字型の内側にパウチ容器ＭＡのシールくびれ部分ＭＡ４ｂを表シートＭＡ１の側から抱き込むように抱持する形状を有している。
【００５６】
これにより、パウチ容器ＭＡに後側斜め上方向または前側斜め下方向への力が生じても、抱持爪１１６が、シールくびれ部分ＭＡ４ｂよりも幅広のシール頭部分ＭＡ４ｃとシール胴部分ＭＡ４ａとの間に移動が制限される。
さらに、パウチ容器ＭＡの上部に左右方向への力が生じても、パウチ容器ＭＡのシールくびれ部分ＭＡ４ｂを抱持している抱持爪１１６にパウチ容器ＭＡのフランジ状シール部ＭＡ４が緩衝し、パウチ容器ＭＡの左右方向への横ズレが確実に制止される。
【００５７】
下面パネル１３０は、容器制止片１３２を備えている。
容器制止片１３２は、上面パネル１１０に設けられた左右に隣接する３つの容器挿通孔１１２およびフランジ案内用スリット１１４の対向位置との間より前方のパネル前方領域に位置する部分であり、下面パネル１３０の前方側に連接した部分を残して板厚方向に切込みを入れること、すなわち、一部を切り欠くことによって形成され、上面パネル１１０に向かって上方に山折りして起立させた起立舌片である。
【００５８】
これにより、パウチ容器ＭＡの底部に前側方向へ潜り込み移動する力が生じても、下面パネル１３０に起立して設けられた容器制止片１３２がフランジ状シール部ＭＡ４におけるシール胴部分ＭＡ４ａの底側縁に緩衝し、パウチ容器ＭＡの前方への移動を制止して、パウチ容器ＭＡが上面パネル１１０と下面パネル１３０との間隙への潜り込むことを制止している。
なお、容器制止片１３２とパウチ容器ＭＡとの緩衝は、１か所以上であって、パウチ容器ＭＡが容器制止片１３２よりも前方に移動することを制止する形状であれば、長方形、三角形、半円形など、如何なる形状であっても構わない。
例えば、容器挿通孔１１２の数量が１つの場合、容器制止片１３２は、フランジ状シール部ＭＡ４におけるシール胴部分ＭＡ４ａの底側縁の幅よりも狭い形状のものを容器挿通孔１１２に対向する位置に設けても、シール胴部分ＭＡ４ａの底側縁を双方あるいは一方と緩衝する形状を用いる。
【００５９】
さらに、本発明の容器装着パネル１００は、１枚のブランクシートを打ち抜き加工して上面パネル１１０と、左側パネル１２０と、下面パネル１３０と、右側パネル１４０と、前側パネル１５０と、後側パネル１６０を形成する際に、上面パネル１１０に設けられた容器挿通孔１１２およびフランジ案内用スリット１１４および抱持爪１１６と下面パネル１３０に設けられた容器制止片１３２を同時に打ち抜き加工することによって形成されている。
【００６０】
パウチ容器ＭＡが、図６および図７の矢印で示すように、容器装着パネル１００の後側斜め上方向から上面パネル１１０の容器挿通孔１１２およびフランジ案内用スリット１１４にパウチ容器ＭＡの底部から挿入されて容器装着パネル１００に装着される。
【００６１】
次に、本発明の第１実施例である容器装着パネル１００へのパウチ容器ＭＡの装着動作を、図７に示す符号Ｘ１−Ｘ１から見た端面図と符号Ｘ２−Ｘ２から見た端面図を用い、図８乃至図１２に基づいて説明する。
パウチ容器ＭＡが、図１２に示すように容器装着パネル１００に装着される際、図８Ａおよび図８Ｂに示すように、パウチ容器ＭＡの底部側に位置するフランジ状シール部ＭＡ４におけるシール胴部分ＭＡ４ａの底側端を近接させる。
【００６２】
そして、パウチ容器ＭＡの底部が容器挿通孔１１２およびフランジ案内用スリット１１４に達すると、パウチ容器ＭＡは、図１０に示す部分拡大図のようにシール胴部分ＭＡ４ａの左右両側縁がフランジ案内用スリット１１４に案内されながらシール胴部分ＭＡ４ａの底側端が下面パネル１３０に当接するまで挿入する。
その後、シール胴部分ＭＡ４ａの底側端が下面パネル１３０に当接した後、更にパウチ容器ＭＡを容器装着パネル１００に挿入すると、図９Ａおよび図９Ｂに示すように、シール胴部分ＭＡ４ａの左右両側縁がフランジ案内用スリット１１４に案内されながらパウチ容器ＭＡにおけるシール胴部分ＭＡ４ａの底側端が下面パネル１３０の上表面に沿って前方に摺接移動（摺動）する。
【００６３】
そして、パウチ容器ＭＡの上部側に位置するフランジ状シール部ＭＡ４におけるシール頭部分ＭＡ４ｃの上側端は、上面パネル１１０の抱持爪１１６に弧を描きながら移動して接近する。
その後、図１１Ａ、図１１Ｂおよび図１２に示すように、シール頭部分ＭＡ４ｃとシール胴部分ＭＡ４ａとの間に位置するシールくびれ部分ＭＡ４ｂが上面パネル１１０の抱持爪１１６に抱持されるとともにシール胴部分ＭＡ４ａの底側端が下面パネル１３０の容器制止片に当て止め制止される。
【００６４】
その結果、パウチ容器ＭＡは、容器装着パネル１００に立体保持された状態になる。
さらに、偏平形状を呈したパウチ容器ＭＡが容器装着パネル１００の奥行き方向に対して立体的に組み付けられている。
これにより、容器装着パネル１００への組み付けた際にパウチ容器ＭＡの奥行きが鮮明になる。
そして、パウチ容器ＭＡの立体感が増すこととなりパウチ容器ＭＡの見栄えを一層増している。
なお、パウチ容器ＭＡのシールくびれ部分ＭＡ４ｂを上面パネル１１０の抱持爪１１６に抱持する際、パウチ容器ＭＡのシールくびれ部分ＭＡ４ｂが、上面パネル１１０の抱持爪１１６に下方向への直線移動によって抱持させても良い。
【００６５】
これにより、パウチ容器ＭＡは、内容物収容部ＭＡ３を容器挿通孔１１２、内容物収容部ＭＡ３の右両側縁に位置するフランジ状シール部ＭＡ４を上面パネル１１０のフランジ案内用スリット１１４、パウチ容器ＭＡの上部を上面パネル１１０の抱持爪１１６、パウチ容器ＭＡの底部を下面パネル１３０の容器制止片１３２がそれぞれ支持するとともに、前後方向への移動を容器挿通孔１１２、左右方向への横移動を容器挿通孔１１２およびフランジ案内用スリット１１４、後側斜め上方向への抜け出し移動を抱持爪１１６、前側斜め下方向への潜り込み移動を容器制止片１３２のそれぞれが分担して３方向への移動を制止する。
さらに、フランジ案内用スリット１１４のパウチ容器ＭＡを保持する位置が、パウチ容器ＭＡにおけるフランジ案内用スリット１１４への案内方向の略中央部分となるパウチ容器ＭＡの重心位置になるように、容器装着パネル１００の上面パネル１１０および下面パネル１３０の間隔と抱持爪１１６の高さとを設定すれば、容器装着パネル１００に組み付けられたパウチ容器ＭＡの保持の安定性をさらに増すことができる。
【００６６】
このようにして得られた本発明の第１実施例である容器装着パネル１００は、内容物を封入する内容物収容部ＭＡ３とこの内容物収容部ＭＡ３の少なくとも両側縁を封止するフランジ状シール部ＭＡ４とを備えたパウチ容器ＭＡを挿着する上面パネル１１０とこの上面パネル１１０に離間対置してパウチ容器ＭＡの底部を支持する下面パネル１３０とを組み合わせ、上面パネル１１０が、パウチ容器ＭＡの内容物収容部ＭＡ３を挿通する容器挿通孔１１２と、この容器挿通孔１１２の左右に設けてパウチ容器ＭＡのフランジ状シール部ＭＡ４を挿通方向に案内するフランジ案内用スリット１１４と、容器挿通孔１１２およびフランジ案内用スリット１１４より後方のパネル後方領域の一部を切り欠いて起立させた状態でパウチ容器ＭＡの上部を着脱自在に抱持する抱持爪１１６とを有し、下面パネル１３０が、容器挿通孔１１２およびフランジ案内用スリット１１４の対向位置より前方のパネル前方領域の一部を切り欠いて起立させた状態で挿し込んだパウチ容器ＭＡの底部に当て止め制止する容器制止片１３２を有していることにより、パウチ容器ＭＡを容器挿通孔１１２の上下方向に挿通して立体的に装着保持することができるばかりでなく、パウチ容器ＭＡを適切な装着位置に導くことができるとともに、輸送時のガタツキや陳列時の取り扱いなどに起因するパウチ容器ＭＡの容器装着パネル１００からの移動による変形や破損を制止して、パウチ容器ＭＡを容器装着パネル１００への組み付け当時の見栄えの良い状態を安定して保持することができる。
【００６７】
また、抱持爪１１６が、パウチ容器ＭＡの内容物収容部ＭＡ３のフランジ状シール部ＭＡ４のシール胴部分ＭＡ４ａとこのシール胴部分ＭＡ４ａの上側に位置するシール頭部分ＭＡ４ｃとの間に設けられてシール胴部分ＭＡ４ａおよびシール頭部分ＭＡ４ｃよりも幅狭のシールくびれ部分ＭＡ４ｂを抱持していることにより、パウチ容器ＭＡの後側斜め上方向への抜け出し移動や前側斜め下方向への潜り込み移動を制止してパウチ容器ＭＡの位置を安定して保持するとともに、パウチ容器ＭＡの左右方向への横ズレを確実に抑止することができるなど、その効果は甚大である。
【実施例２】
【００６８】
続いて、本発明の第２実施例である容器装着パネル２００について、図１３および図１４に基づいて説明する。
ここで、図１３は、本発明の第２実施例である容器装着パネルの表面側から見た展開図であり、図１４は、本発明の第２実施例である容器装着パネルに２連パウチ容器を装着終了した状態を示す部分拡大図である。
【００６９】
第２実施例の容器装着パネル２００は、容器挿通孔２１２と、フランジ案内用スリット２１４と、抱持爪２１６と、容器制止片２３２とのそれぞれを、２つのパウチ容器ＭＡにおけるフランジ状シール部ＭＡ４の少なくとも一方の側縁を一体に連結させた２連のパウチ容器ＭＣを装着保持可能にする構造に変更したものである。
すなわち、容器挿通孔２１２の左右両側縁に設けられたフランジ案内用スリット２１４の離隔幅をパウチ容器ＭＣの２つのシール胴部分ＭＡ４ａの横幅に合わせ、抱持爪２１６にパウチ容器ＭＣの２つのシールくびれ部分ＭＡ４ｂのそれぞれを抱持する２対の抱持爪２１６を設け、容器制止片２３２を２連のパウチ容器ＭＣにおける底部分に合わせた構造としたものであって、その他のパネル構造については、本発明の第１実施例の容器装着パネル１００と全く同一であるため、下２桁が共通する２００番台の符号を付すのみとし、詳しい説明を省略する。
【００７０】
これにより、２つのパウチ容器ＭＡ、例えば、併用する内容物を一連一体にして装着している。
ここで、２連のパウチ容器ＭＣを用いた場合、２つの内容物収容部ＭＡ３のそれぞれに封止される内容物としては、酵素洗顔料と美容液、シャンプーとコンディショナー、コーヒーとコーヒーミルクなどの一連で使用するものを簡単に組み合わせ可能となる。
なお、第２実施例では、２つのパウチ容器ＭＡの一方の側縁を一体に連結させた２連のパウチ容器ＭＣに対応する容器装着パネル２００について説明したが、２連以上の複数のパウチ容器ＭＡの側縁を一体に連結させた多連のパウチ容器ＭＣであっても構わない。
さらに、多連のパウチ容器ＭＣは、各の内容物収容部ＭＡ３の間にスリットや切込みなどを入れ、１つのパウチ容器ＭＡに分離できるものであっても構わない。
【００７１】
このようにして得られた本発明の第２実施例である容器装着パネル２００は、パウチ容器ＭＣが、内容物収容部ＭＡ３を左右一対かつ一連一体に備えていることにより、パウチ容器ＭＡを使用する際の選別が不要となり、ユーザの利便性を増すなど、その効果は甚大である。
【符号の説明】
【００７２】
１００  、２００    ・・・  容器装着パネル
１１０  、２１０    ・・・  上面パネル
１１２  、２１２    ・・・  容器挿通孔
１１４  、２１４    ・・・  フランジ案内用スリット
１１６  、２１６    ・・・  抱持爪
１２０  、２２０    ・・・  左側パネル
１３０  、２３０    ・・・  下面パネル
１３２  、２３２    ・・・  容器制止片
１４０  、２４０    ・・・  右側パネル
１４２  、２４２    ・・・  貼付片
１５０  、２５０    ・・・  前側パネル
１５２  、２５２    ・・・  つまみ片
１６０  、２６０    ・・・  後側パネル
ＭＡ      ・・・  パウチ容器
ＭＡ１    ・・・  表シート
ＭＡ２    ・・・  裏シート
ＭＡ３    ・・・  内容物収容部
ＭＡ３ａ  ・・・  収容部本体
ＭＡ３ｂ  ・・・  ノズル部分
ＭＡ３ｃ  ・・・  ノズル延在部分
ＭＡ４    ・・・  フランジ状シール部（シール部）
ＭＡ４ａ  ・・・  容器胴部
ＭＡ４ｂ  ・・・  シールくびれ部分
ＭＡ４ｃ  ・・・  シール頭部分
ＭＡ４ｎ  ・・・  ノッチ（Ｖカット）
ＭＢ      ・・・  付属品（補材）
ＭＣ      ・・・  多連のパウチ容器（２連のパウチ容器）
Ｓ        ・・・  詰合せセット
Ｓ１０    ・・・  包装箱
Ｓ２０    ・・・  底敷きパネル
【図１】
2018079956.tif 000003
【図２】
2018079956.tif 000004
【図３Ａ】
2018079956.tif 000005
【図３Ｂ】
2018079956.tif 000006
【図４】
2018079956.tif 000007
【図５】
2018079956.tif 000008
【図６】
2018079956.tif 000009
【図７】
2018079956.tif 000010
【図８Ａ】
2018079956.tif 000011
【図８Ｂ】
2018079956.tif 000012
【図９Ａ】
2018079956.tif 000013
【図９Ｂ】
2018079956.tif 000014
【図１０】
2018079956.tif 000015
【図１１Ａ】
2018079956.tif 000016
【図１１Ｂ】
2018079956.tif 000017
【図１２】
2018079956.tif 000018
【図１３】
2018079956.tif 000019
【図１４】
2018079956.tif 000020